(57)【要約】      （修正有）【課題】ディスプレイパネルのチルト位置を調整するだけでなく、ディスプレイの傾斜角度も調整できるディスプレイ角度調整機構を提供する。【解決手段】スタンド１を含むディスプレイ角度調整機構であって、スタンド１上にディスプレイ本体を傾斜して設け、ディスプレイ本体のリアパネルホルダ３とスタンド１の上端とが互いにヒンジ連結し、前記ディスプレイのパネル２とリアパネルホルダ３とが摺動して連接し、パネル２後側にパネルホルダ３のチャンバーに挿入する突起部２１を設け、突起部２１の脇に突起ピン２２を設けており、パネルホルダ３のチャンバーに突起ピン２２を掛止してパネル２が下方向に調整する状態にさせる掛止フック４を設け、突起ピン２２がパネル２と一緒に上方向にチルト動作した時、掛止フック４がその重力作用で後方へ振れて突起ピン２２から外れることができる。【選択図】図１
0003210288.tif 000002
【実用新案登録請求の範囲】
【請求項１】
スタンドを含むディスプレイ角度調整機構であって、前記スタンド上にディスプレイ本体を傾斜して設け、前記ディスプレイ本体のリアパネルホルダと前記スタンドの上端とが互いにヒンジ連結し、前記ディスプレイのパネルと前記リアパネルホルダとが摺動して連接し、前記パネル後側にパネルホルダのチャンバーに挿入する突起部を設け、前記突起部の脇に突起ピンを設けており、前記パネルホルダのチャンバーに突起ピンを掛止して前記パネルが下方向に調整する状態にさせる掛止フックを設け、前記突起ピンが前記パネルと一緒に上方向にチルト動作した時、前記掛止フックがその重力作用で後方へ振れて前記突起ピンから外れることができることを特徴とする、ディスプレイ角度調整機構。
【請求項２】
前記スタンドの下端部は、ベース板内に嵌設され、前記スタンドの上端部に２つの平行な支柱を設け、前記支柱上にシャフトを挿通させる縦向き貫通孔を設けることを特徴とする請求項１に記載のディスプレイ角度調整機構。
【請求項３】
前記ディスプレイのパネル後側に溝板を連接し、前記溝板の両側板にスライドレールを各々連接し、前記スライドレール内に前記スライドレールの長手方向に沿って摺動できるスライドを嵌設し、前記溝板の後側に前記パネルホルダのチャンバーに挿入する突起部を設けることを特徴とする請求項１に記載のディスプレイ角度調整機構。
【請求項４】
前記パネルホルダは、２つの湾曲挟持板と前記湾曲挟持板の湾曲部内側に連接する溝型支柱とからなり、前記湾曲挟持板の後側に位置し一体として連接した連接板上に前記シャフトにマッチすることで前記シャフトを挿通させる貫通孔を設け、前記シャフトが前記支柱の前記縦向き貫通孔、前記湾曲挟持板と前記２つの湾曲挟持板間にある位置制限スリーブを挿通して前記湾曲挟持板と前記スリーブを２つの前記支柱間にヒンジ連結させることを特徴とする請求項２に記載のディスプレイ角度調整機構。
【請求項５】
前記２つの湾曲挟持板間の前記位置制限スリーブに位置する前側に定荷重ばねをヒンジ連結し、前記定荷重ばねの引出部の端部が前記パネルの下端部と連接することを特徴とする請求項４に記載のディスプレイ角度調整機構。
【請求項６】
前記定荷重ばねは、前記２つの湾曲挟持板間の前記位置制限スリーブに位置する前側の回転軸上に嵌設されることを特徴とする請求項５に記載のディスプレイ角度調整機構。
【請求項７】
前記湾曲挟持板の側面と前記スライドレール内の前記スライドとが連接することで、前記パネルと前記リアパネルホルダとが摺動して連接し、前記２つの溝型支柱間に位置し、前記突起ピンを掛止して前記パネルが下方向に調整する状態にさせる掛止フックとヒンジ連結することを特徴とする請求項４に記載のディスプレイ角度調整機構。
【請求項８】
前記シャフトの前記支柱両側に位置する端部上に支持スリーブを嵌設し、前記支持スリーブ上にねじりコイルばねを嵌設し、前記ねじりコイルばねの一端が前記支柱と協調動作し、前記ねじりコイルばねの他端が前期シャフト端部上に嵌設されるねじりコイルばね固定ピースと協調動作することを特徴とする請求項４に記載のディスプレイ角度調整機構。
【考案の詳細な説明】
【技術分野】
【０００１】
本考案は、ディスプレイ角度調整機構に関する。
【背景技術】
【０００２】
ディスプレイは、表示装置として現実の生活、特にオフィスにおいて幅広く運用されている。科学技術の発展に伴い、タッチディスプレイは、ディスプレイ発展の将来の傾向となり、絶え間なくその市場を拡大し、人々はディスプレイ、特にタッチディスプレイを使用する過程において、常に他人或いは顧客に対しスクリーン内の内容を展示又は他人に対しスクリーン内の内容をどのように操作するかを見させるものであるが、ただし従来のタッチディスプレイスクリーンの回転角度は大きくなく、他人にスクリーン内の内容を展示するため、操作者がディスプレイを台座と一緒に回転させて他人に見せるため、回転後スクリーンがまたも操作に適合せず、且つ観賞に不利となり、非常に不便であった。
【考案の概要】
【考案が解決しようとする課題】
【０００３】
本考案は、ディスプレイパネルのチルト位置を調整するだけではなく、ディスプレイの傾斜角度も調整できるため、消費者の観賞ニーズを満たすディスプレイ角度調整機構を提供することを目的とする。
【課題を解決するための手段】
【０００４】
上記目的を達成するため、本考案の技術的思想はスタンドを含むディスプレイ角度調整機構であって、前記スタンド上にディスプレイ本体を傾斜して設け、前記ディスプレイ本体のリアパネルホルダと前記スタンドの上端とが互いにヒンジ連結し、前記ディスプレイのパネルと前記リアパネルホルダとが摺動して連接し、前記パネル後側にパネルホルダのチャンバーに挿入する突起部を設け、前記突起部の脇に突起ピンを設けており、前記パネルホルダのチャンバーに突起ピンを掛止して前記パネルが下方向に調整する状態にさせる掛止フックを設け、前記突起ピンが前記パネルと一緒に上方向にチルト動作した時、前記掛止フックがその重力作用で後方へ振れて前記突起ピンから外れることができることを特徴とする。
【０００５】
好ましくは、前記スタンドの下端部はベース板内に嵌設され、前記スタンドの上端部に２つの平行支柱を設け、前記支柱上にシャフトを挿通させる縦向き貫通孔を設ける。
【０００６】
好ましくは、前記ディスプレイパネル後側に溝板を連接し、前記溝板の両側板にスライドレールを各々連接し、前記スライドレール内にスライドレールの長手方向に沿って摺動できるスライドを嵌設し、前記溝板の後側にパネルホルダチャンバーに挿入する突起部を設ける。
【０００７】
好ましくは、前記パネルホルダは、２つの湾曲挟持板と湾曲挟持板の湾曲部内側に連接する溝型支柱とからなり、前記湾曲挟持板の後側に位置し一体として連接した連接板上にシャフトにマッチすることでシャフトを挿通させる貫通孔を設け、前記シャフトが支柱の縦向き貫通孔、湾曲挟持板と２つの湾曲挟持板間にある位置制限スリーブを挿通して湾曲挟持板とスリーブを２つの支柱間にヒンジ連結させる。
【０００８】
好ましくは、前記２つの湾曲挟持板間の位置制限スリーブに位置する前側に定荷重ばねをヒンジ連結し、前記定荷重ばねの引出部の端部がパネルの下端部と連接する。
【０００９】
好ましくは、前記定荷重ばねは、２つの湾曲挟持板間の位置制限スリーブに位置する前側の回転軸上に嵌設される。
【００１０】
好ましくは、前記湾曲挟持板の側面とスライドレール内のスライドとが連接することで、パネルとリアパネルホルダとが摺動して連接し、前記２つの溝型支柱間に位置し、突起ピンを掛止してパネルが下方向に調整する状態にさせる掛止フックとヒンジ連結する。
【００１１】
好ましくは、前記シャフトの支柱両側に位置する端部上に支持スリーブを嵌設し、前記支持スリーブ上にねじりコイルばねを嵌設し、前記ねじりコイルばねの一端が支柱と協調動作し、ねじりコイルばねの他端がシャフト端部上に嵌設されるねじりコイルばね固定ピースと協調動作する。
【考案の効果】
【００１２】
従来の技術に比べると、本考案の利点は、該機構がスクリーン回転角度が大きく、利用者が他人に対してスクリーン中の内容を展示すると共に観賞することは便利だけではなく、且つ好適な角度で観賞するため、スクリーンも上下チルト角度を調整でき、位置の移動が不要とし、同時に該機構がスクリーンを下方向にチルト動作した時、スクリーン底部がテーブルに衝突することを防止し、スクリーンが損傷を受けないように保護するセルフロック機能を更に備えることである。
【図面の簡単な説明】
【００１３】
【図１】本考案の構造を示す模式図である。
【図２】本考案のパネルが上方向に移動した状態を示す模式図である。
【図３】本考案の図２のＡゾーン拡大図である。
【図４】本考案のフックが下振れしている状態を示す模式図である。
【図５】本考案の連接構造を示す立体分解図である。
【考案を実施するための形態】
【００１４】
以下、本考案の上記特徴と利点をより一層分かりやすくするため、添付図面を基に実施例を挙げて詳細に説明するが、本考案はこれに限るものではない。
【００１５】
図１乃至図５を参照すると、スタンド１を含むディスプレイ角度調整機構であって、前記スタンド１上にディスプレイ本体を傾斜して設け、前記ディスプレイ本体のリアパネルホルダ３と前記スタンド１の上端とが互いにヒンジ連結し、前記ディスプレイのパネル２と前記リアパネルホルダ３とが摺動して連接し、前記パネル２後側にパネルホルダ３のチャンバーに挿入する突起部２１を設け、前記突起部２１の脇に突起ピン２２を設けており、前記パネルホルダ３のチャンバーに突起ピン２２を掛止して前記パネル２が下方向に調整する状態にさせる掛止フック４を設け、前記突起ピン２２が前記パネル２と一緒に上方向にチルト動作した時、前記掛止フック４がその重力作用で後方へ振れて前記突起ピン２２から外れることができる。
【００１６】
本実施例において、スタンド１を固定するため、前記スタンド１の下端部はベース板５内に嵌設され、同時にシャフト６を固定するため、前記スタンド１の上端部に２つの平行支柱１１を設け、前記支柱１１上にシャフト６を挿通させる縦向き貫通孔
１１１を設ける。
【００１７】
本実施例において、ディスプレイ上その他の構成部材を固定するため、前記ディスプレイパネル２後側に溝板７を連接し、前記溝板７の両側板７１にスライドレール８を各々連接し、前記スライドレール８内にスライドレール８の長手方向に沿って摺動できるスライド８１を嵌設し、前記溝板７の後側にパネルホルダ３チャンバーに挿入する突起部２１を設ける。
【００１８】
本実施例において、前記パネルホルダ３は、２つの湾曲挟持板３１と湾曲挟持板３１の湾曲部３１１内側に連接する溝型支柱９とからなり、前記湾曲挟持板３１の湾曲部３１１の後側に位置し一体として連接した連接板312上にシャフト６にマッチすることでシャフト６を挿通させる貫通孔３１２１を設け、前記シャフト６が支柱１１の縦向き貫通孔１１１、湾曲挟持板３１と２つの湾曲挟持板３１間にある位置制限スリーブ１０を挿通して湾曲挟持板３１とスリーブ１０を２つの支柱１１間にヒンジ連結させることで、湾曲挟持板をシャフトに対して回転させる。
【００１９】
パネル２が摺動された時、精密に位置決めることで摺動を発生させないため、前記２つの湾曲挟持板３１間の位置制限スリーブ１０に位置する前側に定荷重ばね１２をヒンジ連結し、前記定荷重ばね１２の引出部の端部１２１がパネルの下端部２３と連接することで、パネル２が定荷重ばね１２の作用下で往復して上下に摺動して停止した後精密に位置決める。
【００２０】
定荷重ばね１２の摩耗を軽減し、寿命を延ばすため、前記定荷重ばね１２は２つの湾曲挟持板３１間の位置制限スリーブ１０に位置する前側の回転軸１３上に嵌設されることで、定荷重ばね１２を２つの湾曲挟持板３１間にヒンジ連結することを実現する。
【００２１】
本実施例において、前記湾曲挟持板３１の側面は、スライドレール８内のスライド８１と連接することで、パネル２とリアパネルホルダ３の摺動連接を実現し、２つの溝型支柱９間に位置し、突起ピン２２を掛止してパネル２が下方向に調整する状態にさせる掛止フック４とヒンジ連結する。
【００２２】
本実施例において、シャフトの摩耗程度を軽減するため、前記シャフト６の支柱１１両側に位置する端部上に支持スリーブ１４を嵌設し、前記支持スリーブ１４上にねじりコイルばね１５を嵌設し、パネル２が回転軸１３に対して回転するため、前記ねじりコイルばね１５の一端が支柱１１と協調動作し、ねじりコイルばね１５の他端がシャフト６端部上に嵌設されるねじりコイルばね固定ピース１６と協調動作する。
【００２３】
本実施例において水平面をＸ軸とし、パネル垂直状態をＹ軸とする。ディスプレイパネル２のスタンド１に対する回転角度が前方５°〜後方１２°の場合、ディスプレイパネル２が掛止フック４でロックされて下方向に摺動できない。ディスプレイパネルを摺動させる場合、パネル２の後方角度を１５°上回り、パネル２を斜め上方向に向け頂点になるまで調整し、この場合掛止フック４がその重力作用で自然に下振れ、従って掛止フック４と突起ピン２２が分離され、この状態においてパネル２が上下に摺動できる。パネル２をロックする時、パネル２のチルト角度を前方５°〜後方１２°にさせてから上方向にパネルを調整すると、掛止フック４が重力作用で下振れてパネル２を解放でき、この場合パネル２が掛止フック４でロックされて下方向に摺動できない。同時に本考案内のパネル２のスタンド１に対する回転角度は前方５°〜後方２５°においてパネル２が下方向に摺動できない。パネルの角度が後方５５°の時、パネルが下方向に摺動できるため、タッチコンピュータとして使用できる。
【００２４】
以上に述べたのは、本考案の好ましい実施例であって、当業者にとって本考案の教示に基づいて異なる形式のディスプレイ角度調整機構を設計することは、進歩性の苦労を必要とせず、本考案の原理と精神を逸脱しない範囲内において種々の修正、改良、変更をなし得ることは、本考案の保護範囲内に含めるものであるのが勿論である。
【符号の説明】
【００２５】
１      スタンド
１１    支柱
１１１  縦向き貫通孔
２      パネル
２１    突起部
２２    突起ピン
２３    パネルの下端部
３      パネルホルダ
３１    湾曲挟持板
３１１  湾曲部
３１２  連接板
３１２１  貫通孔
４      掛止フック
５      ベース板
６      シャフト
７      溝板
７１    両側板
８      スライドレール
８１    スライド
９      溝型支柱
１０    位置制限スリーブ
１２    定荷重ばね
１２１  引出部の端部
１３    回転軸
１４    支持スリーブ
１５    ねじりコイルばね
１６    ねじりコイルばね固定ピース。
【図１】
0003210288.tif 000003
【図２】
0003210288.tif 000004
【図３】
0003210288.tif 000005
【図４】
0003210288.tif 000006
【図５】
0003210288.tif 000007
【手続補正書】
【提出日】平成28年12月7日(2016.12.7)
【手続補正１】
【補正対象書類名】実用新案登録請求の範囲
【補正対象項目名】請求項７
【補正方法】変更
【補正の内容】
【請求項７】
前記湾曲挟持板の側面と前記スライドレール内の前記スライドとが連接することで、前記パネルと前記リアパネルホルダとが摺動して連接し、前記２つの溝型支柱間に位置し、前記突起ピンを掛止して前記パネルが下方向に調整する状態にさせる掛止フックとヒンジ連結することを特徴とする請求項３及び４に記載のディスプレイ角度調整機構。
【手続補正書】
【提出日】平成29年3月7日(2017.3.7)
【手続補正１】
【補正対象書類名】実用新案登録請求の範囲
【補正対象項目名】全文
【補正方法】変更
【補正の内容】
【実用新案登録請求の範囲】
【請求項１】
スタンドを含むディスプレイ角度調整機構であって、前記スタンド上にディスプレイ本体を傾斜して設け、前記ディスプレイ本体のリアパネルホルダと前記スタンドの上端とが互いにヒンジ連結し、前記ディスプレイのパネルと前記リアパネルホルダとが摺動して連接し、前記パネル後側にパネルホルダのチャンバーに挿入する突起部を設け、前記突起部の脇に突起ピンを設けており、前記パネルホルダのチャンバーに突起ピンを掛止して前記パネルが下方向に調整する状態にさせる掛止フックを設け、前記突起ピンが前記パネルと一緒に上方向にチルト動作した時、前記掛止フックがその重力作用で後方へ振れて前記突起ピンから外れることができることを特徴とする、ディスプレイ角度調整機構。
【請求項２】
前記スタンドの下端部は、ベース板内に嵌設され、前記スタンドの上端部に２つの平行な支柱を設け、前記支柱上にシャフトを挿通させる縦向き貫通孔を設けることを特徴とする請求項１に記載のディスプレイ角度調整機構。
【請求項３】
前記ディスプレイのパネル後側に溝板を連接し、前記溝板の両側板にスライドレールを各々連接し、前記スライドレール内に前記スライドレールの長手方向に沿って摺動できるスライドを嵌設し、前記溝板の後側に前記パネルホルダのチャンバーに挿入する突起部を設けることを特徴とする請求項２に記載のディスプレイ角度調整機構。
【請求項４】
前記パネルホルダは、２つの湾曲挟持板と前記湾曲挟持板の湾曲部内側に連接する溝型支柱とからなり、前記湾曲挟持板の後側に位置し一体として連接した連接板上に前記シャフトにマッチすることで前記シャフトを挿通させる貫通孔を設け、前記シャフトが前記支柱の前記縦向き貫通孔、前記湾曲挟持板と前記２つの湾曲挟持板間にある位置制限スリーブを挿通して前記湾曲挟持板と前記スリーブを２つの前記支柱間にヒンジ連結させることを特徴とする請求項３に記載のディスプレイ角度調整機構。
【請求項５】
前記２つの湾曲挟持板間の前記位置制限スリーブに位置する前側に定荷重ばねをヒンジ連結し、前記定荷重ばねの引出部の端部が前記パネルの下端部と連接することを特徴とする請求項４に記載のディスプレイ角度調整機構。
【請求項６】
前記定荷重ばねは、前記２つの湾曲挟持板間の前記位置制限スリーブに位置する前側の回転軸上に嵌設されることを特徴とする請求項５に記載のディスプレイ角度調整機構。
【請求項７】
前記湾曲挟持板の側面と前記スライドレール内の前記スライドとが連接することで、前記パネルと前記リアパネルホルダとが摺動して連接し、前記２つの溝型支柱間に位置し、前記突起ピンを掛止して前記パネルが下方向に調整する状態にさせる掛止フックとヒンジ連結することを特徴とする請求項４に記載のディスプレイ角度調整機構。
【請求項８】
前記シャフトの前記支柱両側に位置する端部上に支持スリーブを嵌設し、前記支持スリーブ上にねじりコイルばねを嵌設し、前記ねじりコイルばねの一端が前記支柱と協調動作し、前記ねじりコイルばねの他端が前期シャフト端部上に嵌設されるねじりコイルばね固定ピースと協調動作することを特徴とする請求項４に記載のディスプレイ角度調整機構。